(57)【特許請求の範囲】
【請求項１】
情報が線速度一定（ＣＬＶ）方式で連続的に並んだ一定長のセクタに記録されるＣＬＶ光ディスクにおいて、
所定のデータ領域にトラックの線路長がセクタ長の整数倍である特定トラックが複数本存在し、
前記特定トラックの前記セクタ長はトラックピッチの２＊π＊Ｎ（Ｎは正の整数）倍であり、
前記特定トラックを、Ｎが偶数のときには整数倍となるトラックのうち１つおきのトラックとし、また、Ｎが奇数のときには整数倍となるすべてのトラックとし、
前記特定トラックの先頭位置が等トラック間隔で所定の半径線上に整列していることを特徴とするＣＬＶ光ディスク。
【請求項２】
前記所定のデータ領域の先頭セクタを含むトラックは前記特定トラックであることを特徴とする請求項１に記載のＣＬＶ光ディスク。
【発明の詳細な説明】
【０００１】
【発明の属する技術分野】
本発明は、光ディスクメディアにおけるＣＬＶディスクに関し、特にＣＬＶ光ディスクのフォーマットに関する。
【０００２】
【従来の技術】
光ディスクメディアに記録された情報へのアクセス速度を高めるには、光ヘッドの高速で正確な移送の制御が必要である。上位装置から情報のアクセス指示を光ディスク装置が受けた場合、光ディスク装置は、情報の論理番号と光ディスク上のトラック番号やセクタ番号で示されるような物理的な位置との関係を計算して、光ヘッドをその物理的な位置に送るようにする。
【０００３】
ところで、光ディスクには角速度一定のＣＡＶ方式と、線速度一定のＣＬＶ方式の記録方式がある。ＣＡＶ方式ではディスクの内周、外周に関係なく、１つのトラック上の情報量は一定であるから、論理的な情報番号とトラック数値の換算は容易であり極めて短時間に換算計算を行うことができる。しかし、この方式では外周での情報の線密度が低くなり、全体の記憶容量が低下するという問題がある。これを避けるために、モディファイドＣＡＶ方式と呼ばれる方式では記録信号の周波数を外周部で高くして内外周の線密度を揃える工夫をしている。しかし、このようにすると、フォーマッタの電気回路の構成が複雑になるという問題がある。
【０００４】
記憶容量の問題とフォーマッタの電気回路の構成の簡素化という面ではＣＬＶ方式が有利である。しかしながら、ＣＬＶ方式ではディスク上の半径位置によって１つのトラック上の情報量が異なり、情報番号と物理的な位置との換算は複雑になり、換算計算を短時間に行うことができず、アクセス時間が遅くなるという問題があった。
【０００５】
近年、大容量光ディスクメディアとして、ＤＶＤ−ＲＯＭ、ＤＶＤ−Ｒ、ＤＶＤ−ＲＡＭ等が注目されている。記憶容量の増大化への要求は、今も求め続けられ、益々の狭ピッチ化、小ビット化が図られている。このような状況において、これら大容量化されたメディアにたいする高速アクセスが重要な課題となる。
【０００６】
この問題を解決するため、特開平９−１６９８０「ＣＬＶ用光ディスクの情報アクセス方法」（日本電気株式会社）では、まず光ヘッドの移動方向のみを決定し、先行して光ヘッド移送手段を駆動し、その後、現在アドレスに対応した現在位置（トラック番号）およびアクセス目標アドレスに対応した目標位置（トラック番号）を計算により求め、その間のトラック数を算出して、アクセス制御を行うことを特徴としている。
しかし、この方法で得られる高速化には限界があり、十分な高速アクセスが常に可能というわけではない。
【０００７】
また、特開平８−２７９１９２「ＣＬＶディスクの製造方法」（ソニー株式会社）は、直接ＣＬＶ制御方法に関する特許ではなく、ＣＬＶフォーマットディスクのカッティングにおいて、理想的なＣＬＶ駆動が行われた場合に得られる角度位置誤差のないセクター配置に関する特許であるが、フオーマッタはカッティングマシンからスタートセクタのアドレスのスタート位置を同じ角度の情報で受け取り、予め計算でスタートアドレスと同じ角度近辺に来るアドレスを予測しておき、そのセクタが来たときにバッファ長を変えてカッティングマシンから送られてくる角度情報の電気信号が来たことを確認して、次のセクタのアドレス信号を送ようにすることで、カッティングスタート半径位置の誤差やトラックピッチの変動による角度位置の変動を吸収して、異なるスタンパ間でのセクタ角度を揃えるようにしている。
しかしながら、スタートセクタと同じ角度付近に来るセクタの予測やバッファ長の補正など、特別な処理が必要となっている。
【０００８】
【発明が解決しようとする課題】
上述のごとく、従来のＣＬＶ光ディスクでは、論理情報番号と物理的な位置との換算に時間が掛かるために、ディスクの情報アクセスが遅くなってしまうという問題があった。
【０００９】
本発明はこの点を解決して、比較的簡単な方法で、情報番号とトラック数の換算を容易にし、ことなる光ディスク原盤により製造されるディスクのフォーマットのバラツキを無くし、高速アクセスが可能なＣＬＶ光ディスクの実現を課題とする。
【００１０】
【課題を解決するための手段】
上記課題を達成するために、請求項１に記載の発明は、情報が線速度一定（ＣＬＶ）方式で連続的に並んだ一定長のセクタに記録されるＣＬＶ光ディスクにおいて、所定のデータ領域にトラックの線路長がセクタ長の整数倍である特定トラックが複数本存在し、前記特定トラックの前記セクタ長はトラックピッチの２＊π＊Ｎ（Ｎは正の整数）倍であり、前記特定トラックを、Ｎが偶数のときには整数倍となるトラックのうち１つおきのトラックとし、また、Ｎが奇数のときには整数倍となるすべてのトラックとし、前記特定トラックの先頭位置が等トラック間隔で所定の半径線上に整列していることを特徴とする。
【００１１】
また、上記課題を達成するため、請求項２に記載の発明は、請求項１に記載のＣＬＶ光ディスクにおいて、前記所定のデータ領域の先頭セクタを含むトラックは前記特定トラックであることを特徴とする。
【００１２】
【発明の実施の形態】
以下、本発明にかかるＣＬＶ光ディスクを添付図面を参照にして詳細に説明する。
ＣＬＶ駆動によって形成される等ピッチのスパイラルトラックにおいて、その全トラック線路長Ｌは式（１）で表される。
Ｌ＝π＊（ｒ2 −Ｒ02）／Ｐ                        （１）
ｒ＝Ｒ0 ＋ｎ＊Ｐ      （ｎ＝１、２、３……）      （２）
ここで、図４のように、Ｒ0 はスパイラルの開始半径位置、ｒは線路長を測定しようとしているスパイラル半径位置、Ｐはスパイラルトラックピッチ、ｎはトラック数を表わす。
【００１３】
式（１）、式（２）、から
0003756002.tif 000002
また、式（３）から各トラックの線路長（Ｌｎ）は次の式（４）のように現される。
0003756002.tif 000003
【００１４】
式（４）から、隣接トラック間の線路長差は、以下の様に一定であることがわかる。
（隣接トラック間の線路長差）＝２＊π＊Ｐ＝一定              （５）
ここで、あるトラック上のあるセクタ先頭位置を基準にして、ｍトラック先での増加線路長（ｓｕｍｄＬｍ）を求めると
ｓｕｍｄＬｍ＝２＊π＊Ｐ（１＋２＋３＋……＋ｍ）
＝π＊Ｐ＊ｍ＊（ｍ＋１）                                    （６）
となる。
【００１５】
次に、図１に請求項１記載の発明に関わるＣＬＶ光ディスクのフォーマットの概要を示す。
ある半径線（Ａ、Ａ´）上に、等トラック間隔でセクタ先頭位置が整列しているとする。
インフォメーションエリア内あるいはその内周トラックｎ0 において、整数（Ｎ0 ）個のセクタが含まれ、セクタ長は（２＊π＊Ｐ）の整数（Ｎs ）倍長とする、したがって、
0003756002.tif 000004
ただし、Ｎs 、Ｎ0 は整数。
が成り立つとする。
【００１６】
トラック（ｎ−１）において、トラックｎ0 からトラック（ｎ−１）までの線路差長がセクタ長の整数倍であることから式（６）から
（ｎ−1 −ｎ0 ）＊（ｎ−ｎ0 ）＝２＊Ｎs ＊Ｎx               （９）
ただし、Ｎs 、Ｎx は整数。
また、トラックｎにおいて、
0003756002.tif 000005
ただし、Ｎs 、Ｎ0 ´は整数。
が成り立つとすると、図２に示されるように‘セクタの先頭位置が、同一半径線（Ａ、Ａ´）上に整列する。
【００１７】
以下に、これを証明していく。
式（７）から、
0003756002.tif 000006
式（１１）を式（１０）に代入して、
ｎ−ｎ0 ＝Ｎs ＊（Ｎ0 ´−Ｎ0 ）                          （１２）
ここで、ｎ−ｎ0 ＝Ｍ（整数）として、式（９）、式（１２）から得られる
Ｍ＊（Ｍ−１）＝２＊Ｎs ＊Ｎx                             （１３）
Ｍ＝Ｎs ＊（Ｎ0 ´−Ｎ0 ）                                （１４）
の２式を満たす整数Ｍ、Ｎx 、Ｎ0 ´、Ｎ0 が存在すれば良い。
【００１８】
式（１３）において、Ｎs が奇数の場合と偶数の場合に分けて考える。
奇数の場合、
Ｍ＝Ｎs                                                   （１５）
とすると、式（１３）を満足するＮx は、式（１５）を式（１３）へ代入した式
Ｎs ＊（Ｎs −１）＝Ｎs ＊（２＊Ｎx ）                    （１６）
より
Ｎx ＝（Ｎs −１）／２＝（偶数）／２＝（整数）            （１７）
となり存在する。また、この時、式（１４）も満足し、
（Ｎ0 ´−Ｎ0 ）＝１
が成り立つ。
【００１９】
したがって、Ｎs が奇数（セクタ長が２＊π＊Ｐの奇数倍長）の場合、少なくともＭ＝Ｎs トラック毎に整列する。また、トラックに含まれるセクタの数は、‘１’づつ増えることになる。
【００２０】
偶数の場合、
Ｍ＝２＊Ｎs                                               （１８）
として、式（１３）に代入して
２＊Ｎs ＊（２＊Ｎs −１）＝２＊Ｎs ＊Ｎx                 （１９）
より
Ｎx ＝２＊Ｎs −１＝（整数）                              （２０）
となり、Ｎx は存在する。また、この時、式（１４）も満足し、（Ｎ0 ´−Ｎ0 ）＝２が成り立つ。
【００２１】
従って、Ｎs が偶数（セクタ長が２＊π＊Ｐの偶数倍長）の場合、少なくともＭ＝２＊Ｎs トラック毎に整列する。また、トラックに含まれるセクタの数は、‘２’づつ増える。
【００２２】
次に、請求項２記載の発明のＣＬＶ光ディスクのフォーマットは、指定されたセクタを先頭セクタとするトラックにおいて、式（７）、式（８）が成立するように、先頭セクタを含むトラック半径位置（Ｒ0 、ｎ0 ）あるいは、セクタ長（Ｐ、Ｎs ）を設計する事によって実現することが出来る。
【００２３】
【発明の効果】
以上説明したように本発明の請求項１の発明は、情報が線速度一定（ＣＬＶ）方式で連続的に並んだ一定長のセクタに記録されるＣＬＶ光ディスクにおいて、所定のデータ領域にトラックの線路長がセクタ長の整数倍である特定トラックが複数本存在し、特定トラックのセクタ長はトラックピッチの２＊π＊Ｎ（Ｎは正の整数）倍であり、前記特定トラックを、Ｎが偶数のときには整数倍となるトラックのうち１つおきのトラックとし、また、Ｎが奇数のときには整数倍となるすべてのトラックとし、特定トラックの先頭位置が等トラック間隔で所定の半径線上に整列していることを特徴とする。
これにより、完全なＣＬＶディスクフォーマットでありながら、ある半径線上に等トラックおきにセクタ先頭部が整列し、トラックに含まれるセクタ数が、一定のトラック周期で一定数ずつ増加しているので、データ容量を損なうことなく、また、情報番号とトラック数の換算が容易で高速アクセスが可能なＣＬＶ光ディスクを実現することができる。
【００２４】
また、本発明の請求項２の発明は、所定のデータ領域の先頭セクタを含むトラックは特定トラックであることを特徴とする。
これにより、完全なＣＬＶディスクフォーマットを有しながら、先頭セクタを含め、ある半径線上に等トラックおきにセクタ先頭部が整列し、トラックに含まれるセクタ数が、一定のトラック周期で一定数づつ増加しているので、光ディスクメディア間のバラツキをなくした製作が可能で、また、同一の情報番号とトラック数の換算によって目標トラックを特定することが可能になるので、高速アクセスが可能なＣＬＶ光ディスクを得ることができる。
【図面の簡単な説明】
【図１】本発明のＣＬＶ光ディスクのフォーマットを示す説明図。
【図２】本発明のＣＬＶ光ディスクのセクタ配置の説明図。
【図３】従来のＣＬＶ光ディスクのフォーマットを示す説明図。
【図４】定数の意味を示す説明図。
【符号の説明】
Ｌ  全トラック線路長
Ｎ  整数
ｎ  トラック数
Ｐ  スパイラルトラックピッチ
Ｒ0   スパイラルの開始半径位置
ｒ  線路長を測定しようとしているスパイラル半径位置
【図１】
0003756002.tif 000007
【図２】
0003756002.tif 000008
【図３】
0003756002.tif 000009
【図４】
0003756002.tif 000010